(57)【要約】マルチユーザースケジューリング、複数入力複数出力（ＭＩＭＯ）送信、および干渉除去をサポートする方法でデータを送信するための技術が記載される。基地局は、送信時間間隔（ＴＴＩ）の複数の時間セグメントを少なくとも１つの端末に割り当て、各端末のためのデータを、端末に割り当てられた少なくとも１つの時間セグメントにマップし、各時間セグメント内のデータをＴＴＩ内で使用される少なくとも１つのチャネライゼーションコードで拡散する。端末は、ＴＴＩの複数の時間セグメントの中から少なくとも１つの時間セグメントの割り当てを受信し、少なくとも１つの時間セグメントに対して入力サンプルを取得し、入力サンプルをＴＴＩ内で使用される少なくとも１つのチャネライゼーションコードで逆拡散する。
2009505518.tif 000002
【特許請求の範囲】
【請求項１】
下記を具備する装置：
送信時間間隔（ＴＴＩ）の複数の時間セグメントを少なくとも１つの端末に割り当て、各端末のためのデータを前記端末に割り当てられた少なくとも１つの時間セグメントにマップし、前記複数の時間セグメントの各々内のデータを前記ＴＴＩで使用される少なくとも１つのチャネライゼーションコードで拡散するための少なくとも１つのプロセッサー；
前記少なくとも１つのプロセッサーに接続されたメモリ。
【請求項２】
前記少なくとも１つのプロセッサーは前記複数の時間セグメントの各々を前記少なくとも１つの端末の１つに割り当てる、請求項１の装置。
【請求項３】
前記少なくとも１つのプロセッサーは前記ＴＴＩの前記複数の時間セグメントの中の少なくとも１つの連続する時間セグメントで各端末を割り当てる、請求項１の装置。
【請求項４】
前記少なくとも１つのプロセッサーは前記複数の時間セグメントを前記少なくとも１つの端末に、各端末に割り当てられた時間セグメントの数により決定される順番で割り当てる、請求項１の装置。
【請求項５】
前記少なくとも１つのプロセッサーは前記複数の時間セグメントを複数の端末に、各端末に割り当てられた時間セグメントの数に基づいてシーケンシャルの順番に割り当て、時間セグメントの最も多くの数を有する第１の端末はＴＴＩにおいて最初に割り当てられ、時間セグメントの最も少ない数を有する最後の端末はＴＴＩにおいて最後に割り当てられる、請求項１の装置。
【請求項６】
前記少なくとも１つのプロセッサーは、前記複数の時間セグメントを複数の端末に、各端末に割り当てられた時間セグメントの数に基づいたシーケンシャルな順番で割り当て、時間セグメントの最も少ない数を有する第１の端末は前記ＴＴＩにおいて最初に割り当てられ、時間セグメントの最も多い数を有する最後のセグメントは前記ＴＴＩにおいて最後に割り当てられる、請求項１の装置。
【請求項７】
前記少なくとも１つのプロセッサーは、前記少なくとも１つの時間セグメントの各々が１つの端末に割り当てられるように少なくとも１つの時間セグメントを割り当て、少なくとも１つの他の時間セグメントの各々が少なくとも２つの端末に割り当てられるように前記少なくとも１つの他の時間セグメントを割り当てる、請求項１の装置。
【請求項８】
各時間セグメントが異なるチャネライゼーションコードで少なくとも２つの端末により共有されるように前記少なくとも１つのプロセッサーは少なくとも１つの時間セグメントを割り当てる、請求項１の装置。
【請求項９】
前記少なくとも１つのプロセッサーは同時に送信される複数のストリームの各々に対して前記複数の時間セグメントを前記少なくとも１つの端末に割り当てる、請求項１の装置。
【請求項１０】
前記少なくとも１つのプロセッサーは各端末を、前記複数のストリームにわたって少なくとも１つの時間セグメントで割り当てる、請求項９の装置。
【請求項１１】
前記少なくとも１つのプロセッサーはパイロットを、パイロット送信のために指定された少なくとも１つの時間セグメントにマップし、前記パイロットを前記ＴＴＩ内で使用される少なくとも１つのチャネライゼーションコードで拡散する、請求項１の装置。
【請求項１２】
前記少なくとも１つのプロセッサーは前記パイロットのための等しい送信電力および前記少なくとも１つの端末のためのデータを得るために前記パイロットをスケールする、請求項１１の装置。
【請求項１３】
前記少なくとも１つのプロセッサーは前記少なくとも１つの端末の各々のためのシグナリングを発生し、開始時間セグメントと前記端末に割り当てられた時間セグメントの数を伝達する、請求項１の装置。
【請求項１４】
前記少なくとも１つのプロセッサーは、前記少なくとも１つの端末のための前記拡散データを高速物理ダウンリンク共有チャネル（ＨＳ−ＰＤＳＣＨ）上に送信し、各端末のための前記シグナリングをＨＳ−ＰＤＳＣＨのための共有制御チャネル（ＨＳ−ＳＣＣＨ）上に送信する、請求項１３の装置。
【請求項１５】
下記を具備する方法：
送信時間間隔（ＴＴＩ）の複数の時間セグメントを少なくとも１つの端末に割り当てる；
各端末のためのデータを前記端末に割り当てられた少なくとも１つの時間セグメントにマッピングする；
前記ＴＴＩ内で使用される少なくとも１つのチャネライゼーションコードで、前記複数の時間セグメントの各々内のデータを拡散する。
【請求項１６】
前記複数の時間セグメントを割り当てることは、前記複数の時間セグメントの各々を前記少なくとも１つの端末の１つに割り当てることを備えた、請求項１５の方法。
【請求項１７】
前記複数の時間セグメントを割り当てることは、、同時に送信されている複数のストリームの各々に対して前記複数の時間セグメントを前記少なくとも１つの端末に割り当てることを備え、各端末は、複数のストリームにわたって少なくとも１つの時間セグメントが割り当てられる、請求項１５の方法。
【請求項１８】
さらに下記を具備する請求項１５の方法：
パイロットを、パイロット送信のために指定された少なくとも１つの時間セグメントにマッピングする；
前記パイロットを前記ＴＴＩ内で使用される少なくとも１つのチャネライゼーションコードで拡散する。
【請求項１９】
下記を具備する装置：
送信時間間隔（ＴＴＩ）の複数の時間セグメントを少なくとも１つの端末に割り当てる手段；
各端末のためのデータを前記端末に割り当てられた少なくとも１つの時間セグメントにマッピングする手段；
前記複数の時間セグメントの各々内のデータを前記ＴＴＩ内で使用される少なくとも１つのチャネライゼーションコードで拡散する手段。
【請求項２０】
前記複数の時間セグメントを割り当てる手段は、前記複数の時間セグメントの各々を前記少なくとも１つの端末の１つに割り当てる手段を備えた、請求項１９の装置。
【請求項２１】
前記複数の時間セグメントを割り当てる手段は、前記複数の時間セグメントを、同時に送信されている複数のストリームの各々に対して前記少なくとも１つの端末に割り当てる手段を備え、各端末は複数のストリームにわたって少なくとも１つの時間セグメントが割り当てられる、請求項１９の装置。
【請求項２２】
さらに下記を具備する請求項１９の装置：
パイロットを、パイロット送信のために指定された少なくとも１つの時間セグメントにマッピングする手段；
前記パイロットを、前記ＴＴＩ内で使用される少なくとも１つのチャネライゼーションコードで拡散する手段。
【請求項２３】
下記を具備する装置：
第１の送信時間間隔（ＴＴＩ）の複数の時間セグメントを少なくとも１つの端末の第１のセットに割り当て、前記第１のセット内の各端末は前記第１のＴＴＩ内の少なくとも１つの時間セグメントが割り当てられ、複数のチャネライゼーションコードを第２のＴＴＩ内の少なくとも１つの端末の第２のセットに割り当て、前記第２のセット内の各端末は、全体の第２のＴＴＩのための少なくとも１つのチャネライゼーションコードが割り当てられるための少なくとも１つのプロセッサー；
前記少なくとも１つのプロセッサーに接続されたメモリ。
【請求項２４】
前記第１のセット内の各端末は、前記端末に割り当てられた少なくとも１つの時間セグメントのための複数のチャネライゼーションコードが割り当てられる、請求項２３の装置。
【請求項２５】
前記少なくとも１つのプロセッサーは、前記第１のセット内の各端末のためのデータを前記第１のＴＴＩ内の前記端末に割り当てられた少なくとも１つの時間セグメントにマップし、前記第１のＴＴＩ内の時間セグメントの各々内のデータを前記複数のチャネライゼーションコードで拡散する、請求項２３の装置。
【請求項２６】
前記少なくとも１つのプロセッサーは、前記第２のセット内の各端末のためのデータを、前記端末に割り当てられた少なくとも１つのチャネライゼーションコードで拡散する、請求項２３の装置。
【請求項２７】
下記を具備する装置：
送信時間間隔（ＴＴＩ）の複数の時間セグメントの中から少なくとも１つの時間セグメントの割り当てを受信し、前記少なくとも１つの時間セグメントに対する入力サンプルを取得し、前記入力サンプルを前記ＴＴＩ内で使用される少なくとも１つのチャネライゼーションコードで逆拡散するための少なくとも１つのプロセッサー；
前記少なくとも１つのプロセッサーに接続されたメモリ。
【請求項２８】
前記少なくとも１つのプロセッサーは、開始時間セグメントと、前記割り当てにおける時間セグメントの数を示すシグナリングを受信する、請求項２７の装置。
【請求項２９】
前記少なくとも１つのプロセッサーは、パイロット送信のために指定された少なくとも１つの時間セグメントにおいて前記少なくとも１つのチャネライゼーションコードで送信されたパイロットを受信し、前記受信したパイロットに基づいてチャネル推定値を導き出す、請求項２８の装置。
【請求項３０】
前記少なくとも１つのプロセッサーは、受信したパイロットに基づいてチャネル品質インジケーター（ＣＱＩ）を導き出す、請求項２９の装置。
【請求項３１】
前記少なくとも１つのプロセッサーは、複数の送信アンテナから同時に送信された複数のストリームに対して前記少なくとも１つの時間セグメントの割り当てを受信し、前記複数の受信アンテナから前記少なくとも１つの時間セグメントに対する入力サンプルを取得し、前記入力サンプルに対して複数入力複数出力（ＭＩＭＯ）検出を実行して前記複数のストリームの各々に対する検出されたサンプルを取得し、各ストリームに対する検出されたサンプルを前記少なくとも１つのチャネライゼーションコードで逆拡散し、前記ストリームに対する逆拡散シンボルを取得する、請求項２８の装置。
【請求項３２】
前記少なくとも１つのプロセッサーは、各ストリームに対して前記逆拡散シンボルをデコードし、前記ストリームを成功裏にデコードした後各ストリームによる干渉を除去する、請求項３１の装置。
【請求項３３】
下記を具備する方法：
送信時間間隔（ＴＴＩ）の複数の時間セグメントの中から少なくとも１つの時間セグメントの割り当てを受信する；
前記少なくとも１つの時間セグメントに対する入力サンプルを取得する；
前記入力サンプルを前記ＴＴＩ内で使用される少なくとも１つのチャネライゼーションコードで逆拡散する。
【請求項３４】
さらに下記を具備する請求項３３の方法：
パイロット送信のために指定された少なくとも１つの時間セグメントにおいて少なくとも１つのチャネライゼーションコードで送信されたパイロットを受信する；
前記受信したパイロットに基づいてチャネル推定値を導き出す。
【請求項３５】
前記割り当てを受信することは、複数の送信アンテナから同時に送信された複数のストリームに対して前記少なくとも１つの時間セグメントの前記割り当てを受信することを備え、前記入力サンプルを取得することは、複数の受信アンテナから前記少なくとも１つの時間セグメントに対する入力サンプルを取得することを備え、前記方法は、さらに入力サンプルに対して複数入力複数出力（ＭＩＭＯ）検出を実行し、前記複数のストリームの各々に対して検出されたサンプルを取得することを備え、
前記入力サンプルを逆拡散することは、各ストリームに対して前記検出されたサンプルを前記少なくとも１つのチャネライゼーションコードで逆拡散し、前記ストリームに対する逆拡散シンボルを取得する、請求項３３の方法。
【請求項３６】
さらに下記を具備する請求項３５の方法：
各ストリームに対して前記逆拡散シンボルをデコードする；
前記ストリームを成功裏にデコードした後で各ストリームによる干渉を除去する。
【請求項３７】
下記を具備する装置：
送信時間間隔（ＴＴＩ）の複数の時間セグメントの中から少なくとも１つの時間セグメントの割り当てを受信する手段；
前記少なくとも１つの時間セグメントに対して入力サンプルを取得する手段；
前記入力サンプルを、前記ＴＴＩ内で使用される少なくとも１つのチャネライゼーションコードで逆拡散する手段。
【請求項３８】
さらに下記を具備する請求項３７の装置：
パイロット送信のために指定された少なくとも１つの時間セグメントにおいて少なくとも１つのチャネライゼーションコードで送信されたパイロットを受信する手段；
前記受信したパイロットに基づいてチャネル推定値を導き出す手段。
【請求項３９】
前記割り当てを受信する手段は、複数の送信アンテナから同時に送信された複数のストリームに対する前記少なくとも１つの時間セグメントの前記割り当てを受信する手段を備え、前記入力サンプルを取得する手段は、複数の受信アンテナから前記少なくとも１つの時間セグメントに対する入力サンプルを取得する手段を備え、前記装置はさらに、前記入力サンプルに対して複数入力複数出力（ＭＩＭＯ）検出を実行し、前記複数のストリームの各々に対して検出されたサンプルを取得する手段を備え、
前記入力サンプルを逆拡散する手段は、各ストリームに対して前記検出されたサンプルを前記少なくとも１つのチャネライゼーションコードで逆拡散し前記ストリームに対して逆拡散シンボルを取得する手段を備える、請求項３７の装置。
【請求項４０】
さらに下記を具備する、請求項３９の装置：
各ストリームに対して前記逆拡散シンボルをデコードする手段；
前記ストリームを成功裏にデコードした後で各ストリームによる干渉を除去する手段。
【発明の詳細な説明】
【関連技術】
【０００１】
３５Ｕ．Ｓ．Ｃ．§１１９に基づく優先権主張
この特許出願は、本明細書の譲受人に譲渡され、参照することにより本明細書に明示的に組み込まれる、２００５年８月１２日に出願された、「ＭＩＭＯ−ＣＤＭダウンリンクにおける連続した干渉除去のための構造」(STRUCTURE FOR SUCCESSIVE INTERFERENCE CANCELLATION IN A MIMO-CDM DOWNLINK)というタイトルの仮出願シリアル番号６０／７０７，６７２の優先権を主張する。
【技術分野】
【０００２】
この開示は一般に通信に関し、特に無線通信ネットワークにおいてデータを送信するための技術に関する。
【背景技術】
【０００３】
無線多重アクセス通信ネットワークは、ダウンリンクおよびアップリンク上の複数の端末と同時に通信することができる。ダウンリンク（又はフォワードリンク）は、基地局から端末への通信リンクを指し、アップリンク（又はリバースリンク）は、端末から基地局への通信リンクを指す。複数の端末は、ダウンリンク上でシグナリングとデータを同時に受信してもよいし、および／またはアップリンク上でシグナリングとデータを送信してもよい。これは、（例えば、ダウンリンク上で）互いに直交するように送信を多重化することにより、および／または（例えば、アップリンク上で）他の送信への干渉を低減しながら送信のための所望の受信信号品質を達成するために各送信の送信電力を制御することにより達成してもよい。
【０００４】
基地局はそのサービスエリア内の多数の端末にデータを送信してもよい。性能を改善するために、基地局が各送信時間間隔（ＴＴＩ）において可変数の端末をスケジュールできることが望ましい。ＴＴＩは、１つ以上の端末に送信するためにデータパケットがスケジュールされ得る時間の最小単位である。さらに性能を改善するために、基地局は、複数のアンテナを使用して複数のデータストリームを同時に端末に送信してもよい。これらのデータストリームは無線環境により歪みを生じ、各受け手の端末において互いに干渉として動作する。干渉は、端末に対して送信されたデータストリーム（複数の場合もある）をリカバーするための各端末の能力を邪魔する。
【０００５】
それゆえ、複数の端末にデータを効率的に送信するための技術の必要性がある。
【発明の開示】
【０００６】
マルチユーザースケジューリング、複数入力複数出力（ＭＩＭＯ）送信、および干渉除去をサポートする方法でデータを送信するための技術が本明細書において記載される。
【０００７】
この技術は性能を改善する可能性がある。
【０００８】
例示実施形態によれば、少なくとも１つのプロセッサーとメモリを含む装置が記載される。プロセッサー（複数の場合もある）は、ＴＴＩの複数の時間セグメントを少なくとも１つの端末に割り当て、各端末のためのデータを端末に割り当てられた少なくとも１つの時間セグメントにマッピングし、ＴＴＩに使用される少なくとも１つのチャネライゼーションコードで各時間セグメント内のデータを拡散する。
【０００９】
他の例示実施形態によれば、少なくとも１つのプロセッサーとメモリを含む装置が記載される。プロセッサー（複数の場合もある）はＴＴＩの複数の時間セグメントの中から少なくとも１つの時間セグメントの割り当てを受け取り、少なくとも１つの時間セグメントの入力サンプルを取得し、ＴＴＩで使用される少なくとも１つのチャネライゼーションコードで入力サンプルを逆拡散する。
【００１０】
この発明の種々の観点および例示実施形態は、以下にさらに詳細に記載される。
【発明を実施するための最良の形態】
【００１１】
本明細書において使用される「例示」という用語は、例、インスタンス、または例証として機能することを意味する。「例示」として本明細書に記載された任意の例示実施形態は、他の例示実施形態に対して好適であるまたは利点があるとして必ずしも解釈されるべきではない。
【００１２】
図１は、複数の基地局１１０および複数の端末１２０を有した無線通信ネットワークを示す。基地局は一般に端末と通信する固定局であり、ノードＢ、アクセスポイント、ベーストランシーバーサブシステム（ＢＴＳ）またはその他の専門用語で呼んでもよい。各基地局は、特定の地理的エリアに対して通信受信地域を提供し、サービスエリア内に位置する端末のための通信をサポートする。システムコントローラー１３０は基地局１１０に接続し、これらの基地局のための調整と制御を提供する。システムコントローラー１３０は単一のネットワークエンティティであってもよいし又はネットワークエンティティの集まりであってもよい。
【００１３】
端末１２０はシステム全体にわたって分散されていてもよく、各端末は静止していてもよいしまたは移動していてもよい。端末もまた、ユーザー機器（ＵＥ）、移動局(ＭＳ）、アクセス端末（ＡＴ）、加入者ユニット、ステーション（ＳＴＡ）またはその他の専門用語で呼ばれてもよい。端末は、携帯電話、無線装置、パーソナルデジタルアシスタント（ＰＤＡ）、ハンドヘルド装置、無線モデム、ラップトップコンピューター、等であってもよい。端末は、（二重の矢印を備えた実線により示されるように）基地局とアクティブに通信してもよいし、または（二重の矢印を備えた破線で示されるように）パイロットを受信し、基地局とシグナリングを交換してもよい。「端末」と「ユーザー」という用語は本明細書において相互互換的に使用される。
【００１４】
本明細書に記載された技術は、符号分割多元接続（ＣＤＭＡ）ネットワーク、時分割多元接続（ＴＤＭＡ）ネットワーク、周波数分割多元接続（ＦＤＭＡ）ネットワークおよび直行ＦＤＭＡ（ＯＦＤＭＡ）ネットワークのような種々の無線通信ネットワークに対して使用されてもよい。「ネットワーク」および「システム」という用語は、しばしば相互互換的に使用される。ＣＤＭＡネットワークは、ワイドバンドＣＤＭＡ（Ｗ−ＣＤＭＡ、ＵＭＴＳ）、ｃｄｍａ２０００等のような無線技術を実施してもよい。ｃｄｍａ２０００は、ＩＳ−２０００規格、ＩＳ−８５６規格、およびＩＳ−９５規格をカバーする。ＴＤＭＡネットワークは、モバイル通信のためのグローバルシステム（ＧＳＭ）のような無線技術を実施してもよい。これらの種々の無線技術および規格は技術的に知られている。Ｗ−ＣＤＭＡおよびＧＳＭは、「第三世代パートナーシッププロジェクト」（３ＧＰＰ）という名前の組織からの文献に記載されている。ｃｄｍａ２０００は、「第三世代パートナーシッププロジェクト２」（３ＧＰＰ２）という名前の組織からの文献に記載されている。この技術は、ダウンリンク送信並びにアップリンク送信のために使用されてもよい。明確にするために、この技術は、Ｗ−ＣＤＭＡを使用するユニバーサルモバイルテレコミュニケーションシステム（ＵＭＴＳ）におけるダウンリンク送信の場合について以下に記載される。
【００１５】
ＵＭＴＳにおいて、端末のためのデータは、上位層における１つ以上のトランスポートチャネルとして処理される。トランスポートチャネルは１つ以上のサービス、例えば、音声、ビデオ、パケットデータ等のためにデータを運んでもよい。トランスポートチャネルは、物理層において物理チャネルにマッピングされる。（同期チャネル（ＳＣＨ）を除く）物理チャネルは、異なるチャネライゼーションコードでチャネル化され、符号領域において互いに直交している。３ＧＰＰリリース５およびそれ以降の規格は、高速ダウンリンクパケットアクセス（ＨＳＤＰＡ）をサポートする。ＨＳＤＰＡは、ダウンリンク上で高速パケットデータ送信を可能にするチャネルおよび手続の集合である。
【００１６】
表１はＨＳＤＰＡのために使用されるダウンリンクチャネルとアップリンクチャネルをリストアップし、各チャネルのための短い記述を提供する。端末のための無線リンクは、０、１、または複数のＨＳ−ＳＣＣＨｓおよび０、１または複数のＨＳ−ＰＤＳＣＨｓを含んでいてもよい。
【表１】
2009505518.tif 000003
【００１７】
図２はＷ−ＣＤＭＡにおけるフレームフォーマットを示す。送信のためのスケジュールは無線フレームに分割される。ダウンリンク上の無線フレームは、ＳＣＨと同じタイミングを有するコモンパイロットチャネル（ＣＰＩＣＨ）のタイミングに関連して定義される。各無線フレームは１０ミリ秒（ｍｓ）の継続期間を有し、１２ビットシステムフレーム番号（ＳＦＮ）により識別される。各無線フレームはさらに１５のスロットに分割される。１５のスロットにはスロット０乃至スロット１４のラベルが付けられる。各スロットは０．６６７ｍｓの継続期間を有し、３．８４Ｍｃｐｓで２５６０チップを含む。また、各無線フレームは５つのサブフレーム０乃至４に分割される。各サブフレームは２ｍｓの継続期間を有し、３スロットにまたがる。ＨＳ−ＳＣＣＨのサブフレームはＣＰＩＣＨの無線フレームと時間的に整合されている。ＨＳ−ＰＤＳＣＨのサブフレームはＨＳ−ＳＣＣＨのサブフレームに対して２スロットだけ右にシフト（または遅延）されている。
【００１８】
ＨＳＤＰＡは１サブフレームである２ｍｓのＴＴＩを使用する。ＴＴＩはＨＳＤＰＡの以下の動作観点を管理する。
【００１９】
* 端末は各ＴＴＩにおいて送信するためにスケジュールされる。
【００２０】
* 端末のための１つのパケット送信または再送信は１つのＴＴＩで送信される。
【００２１】
* 肯定応答（ＡＣＫ）または否定応答（ＮＡＫ）は各パケット再送信／送信の後に送信される。
【００２２】
* チャネル品質インジケーター（ＣＱＩ）は、（１００％未満のデューティサイクルに対して）通常の方法でＴＴＩｓをスキップすることにより報告レートの可能な低減を有して、ＴＴＩベースごとに報告される。
【００２３】
図３はＨＳＤＰＡにおけるＨＳ−ＰＤＳＣＨのための符号分割多重（ＣＤＭ）フォーマット／構造を示す。ＣＤＭフォーマットは３ＧＰＰリリース５およびその後の規格で使用される。１６の拡散ファクター（ＳＦ=１６）を有する１５までのチャネライゼーションコードはＨＳＤＰＡのために使用されてもよい。チャネライゼーションコードは、構造化方法で発生される直交可変拡散ファクター（ＯＶＳＦ）コードである。拡散ファクターはチャネライゼーションコードの長さである。データシンボルはチャネライゼーションコードで拡散されデータシンボルのためのＳＦチップを発生する。ＨＳＤＰＡのためのチャネライゼーションコードは、端末のデータレート要求、利用可能なチャネライゼーションコードの数、ＨＳＤＰＡのための利用可能な送信電力等のような種々のファクターに基づいて各ＴＴＩで端末に割り当てられてもよい。図３に示す例において、１５のチャネライゼーションコードはＨＳＤＰＡのために使用され、ユーザー１にはチャネライゼーションコード１、２および３が割り当てられ、ユーザー２にはチャネライゼーションコード４および５が割り当てられ、ユーザー３にはチャネライゼーションコード６および７が割り当てられる等であり、ユーザーｋにはチャネライゼーションコード１５が割り当てられる。
【００２４】
ＨＳＤＰＡは、１５までのＨＳ−ＰＤＳＣＨｓを有すると考えてもよい。各ＨＳ−ＰＤＳＣＨは異なるチャネライゼーションコードに対応する。また、ＨＳＤＰＡは１５までのチャネライゼーションコードを有する単一のＨＳ−ＰＤＳＣＨを有すると考えてもよい。以下の記載は、１５までのＨＳ−ＰＤＳＣＨがＨＳＤＰＡに対して利用可能な前者の場合を仮定する。
【００２５】
また、図３はＣch,256,0の固定チャネライゼーションコードで拡散される連続的ＣＤＭパイロットを運ぶプライマリコモンパイロットチャネル（Ｐ−ＣＰＩＣＨ）を示す。パイロットは、基地局と端末により先験的に知られるデータ（例えば、あらかじめ定義されたビットシーケンス）である。また、パイロットはリファレンス、トレーニング信号、プリアンブル、ビーコン等とも呼ばれる。Ｐ−ＣＰＩＣＨのためのチャネライゼーションコードは、２５６の拡散ファクター（ＳＦ＝２５６）を有し、すべてゼロのシーケンスである。Ｐ−ＣＰＩＣＨは各スロットで送信される。また、他の送信は、他のチャネライゼーションコードを有する他の物理チャネル（例えば、ＨＳ−ＳＣＣＨ）上に送信されてもよい。ＳＦ＝１６（Ｃch,16,0)の１つのチャネライゼーションコードは、ＨＳ−ＰＤＳＣＨ送信のために使用されない。なぜなら、この送信は、Ｃch,256,0および他の物理チャネル上のＰ−ＣＰＩＣＨの送信と衝突するからである。
【００２６】
図３に示されるように、複数の端末は、ＨＳＤＰＡのための所定のＴＴＩで異なるチャネライゼーションコードが割り当てられてもよい。端末の異なるセットには異なるＴＴＩｓでチャネライゼーションコードが割り当てられてもよい。所定の端末には各ＴＴＩにおいて任意の数のチャネライゼーションコードが割り当てられてもよく、端末のための割り当てはＴＴＩ毎に変化してもよい。
【００２７】
図３に示されるように、ＨＳＤＰＡはＣＤＭを使用して所定のＴＴＩにおいて異なる端末にパケットを同時に送信する。チャネライゼーションコードと送信電力は、複数の端末に同時にサービスする割り当て可能なリソースとして基地局により使用される。ＨＳＤＰＡはマルチユーザースケジューリングをサポートする。これは所定のＴＴＩで複数の端末をスケジュールするための能力を指す。マルチユーザースケジューリングは、シングルユーザースケジューリングに対してある利点を提供する。それは１ＴＴＩで単一の端末をスケジュールすることができる。例えば、同じＴＴＩで小さなペイロードを有する多くの端末をスケジュールするための能力は、ボイスオーバーインターネットプロトコル（ＶｏＩＰ）のようなロウビットレート遅延感応アプリケーションの効率的な処理に対して有益である。
【００２８】
ＭＩＭＯ送信を用いて性能をさらに改善してもよい。ＭＩＭＯは複数の送信アンテナと複数の受信アンテナを利用して増大した次元を獲得する。それは、端末あたりのより高いスペクトル効率およびより高い最大データレートを供給してもよい。
【００２９】
ダウンリンク上のＭＩＭＯ送信の場合、基地局はすべての割り当てられたチャネライゼーションコードを再使用しながら端末において複数（Ｔ）の送信アンテナから複数（Ｒ）の受信アンテナに同時に複数（Ｍ）のデータストリームを送信してもよい。データストリームは端末において互いに干渉する。端末はＭＩＭＯ検出を実行してデータストリームを分離してもよい。性能を改善するために、端末は連続干渉除去（ＳＩＣ）を実行してもよい。ＳＩＣを用いて、端末は最初に１つのデータストリームをリカバーし、このデータストリームにより生じた干渉を推定して除去し、つぎに、同様の方法で次のデータストリームをリカバーする。リカバーされる各データストリームから干渉を除去することにより、各残りのデータストリームの信号対干渉および雑音比（ＳＩＮＲ）が改善する。ＳＩＣ（ＭＭＳＥ−ＳＩＣ）と組み合わされた最小平均二乗誤差（ＭＭＳＥ）検出は、理論的に最適な性能を達成することが知られている。
【００３０】
マルチユーザースケジューリングとＳＩＣの両方をサポートすることが望ましい。しかしながら、ＨＳＦＰＡに対してＣＤＭを使用することは、ＳＩＣに対して達成可能な利点を制限するかもしれない。ＳＩＣの完全な利点は、すべての利用可能なチャネライゼーションコードが１つの端末に割り当てられ、残りのデータストリームからリカバーされたデータストリーム内のすべてのチャネライゼーションコードのコントリビューション(contributions)をキャンセルすることにより得られるかもしれない。複数の端末が、ＣＤＭにより多重化される別個のデータストリームで所定のＴＴＩにおいてスケジュールされるなら、各端末は、すべてのチャネライゼーションコードから干渉を推定して除去するためにその端末のための送信並びに他の端末のための他の送信を復調しデコードする必要があるであろう。端末に他の端末のための送信をリカバーすることを要求することは実用的ではないかもしれないしまたは不可能かもしれない。それゆえ、除去できる干渉量は、図３に示されるＣＤＭフォーマットを使用することにより制限されるかもしれない。
【００３１】
図４ＡはＨＳＰＤＡ内のＨＳ−ＰＤＳＣＨのための時分割多重（ＴＤＭ）フォーマット／構造４００の例示実施形態を示す。この例示実施形態において、ＴＴＩは複数（Ｓ）の時間セグメント１乃至Ｓに分割される。但し、一般にＳは任意の値であってよい。例実施形態において、Ｓは１６に等しく、各時間セグメントは３．８４Ｍｃｐｓにおいてチャネライゼーションコードあたり４８０チップを含みまたはＳＦ＝１６の場合３０シンボルを含む。データに対して１５の時間セグメントが使用可能な、Ｓ＝１６の例示実施形態は既存のレートマッチングテーブルを保存する。それはコーディングとデコーディングを簡単にする可能性がある。他の例示実施形態において、Ｓは１５に等しく、各時間セグメントは、ＳＦ＝１６に対して５１２チップまたは３２シンボルを含む。Ｓに対して他の値が使用されてもよい。また、図３に示されるＣＤＭフォーマットと下位互換性を維持するために、Ｐ−ＣＰＩＣＨは各スロットで送信されてもよい。
【００３２】
完全割り当てと呼ばれる例示実施形態において、各時間セグメントは１つの端末にのみ割り当てられる。１ＴＴＩのＳ時間セグメントは１つまたは複数の端末に割り当てられてもよい。ＨＳＤＰＡのためのチャネライゼーションコードのすべてがＳの時間セグメントの各々において使用されてもよい。所定の時間セグメントで割り当てられた端末は、その時間セグメント内のＨＳＤＰＡのためのすべてのチャネライゼーションコードが割り当てられる。図４Ａに示される例において、ユーザー１には時間セグメント１、２、および３が割り当てられ、ユーザー２には時間セグメント４および５が割り当てられ、ユーザー３には時間セグメント６および７が割り当てられ、以下同様にしてユーザーｋには時間セグメントＳが割り当てられる。一般に、各端末には、データ送信のために利用可能な時間セグメントの数までの、所定のＴＴＩにおける任意の数の時間セグメントが割り当てられてもよい。
【００３３】
図４ＢはＭＩＭＯを備えたＨＳＤＰＡ内のＨＳ−ＰＤＳＣＨのためのＴＤＭフォーマット４１０の例示実施形態を示す。複数（Ｍ）のデータストリームは１ＴＴＩにおいて１つまたは複数の端末に同時に送信されてもよい。時間セグメント、チャネライゼーションコード、および送信電力のようなリソースは、各データストリームに対して割り当てられてもよい。完全割り当て実施形態において、端末には、データストリームのすべてにわたって同じ時間セグメントが割り当てられてもよい。この例示実施形態は、ＨＳＤＰＡのためのすべてのチャネライゼーションコードプラスパイロットチャネル及び端末によりデコード可能な他の物理チャネルに対して各端末がＳＩＣを実行することを可能にしながら、基地局が１ＴＴＩにおいてＳの端末をスケジュールすることを可能にする。図４Ｂに示される例において、ユーザー１にはすべてのＭのデータストリームに対して時間セグメント１、２、および３が割り当てられ、ユーザー２にはすべてのＭのデータストリームに対して時間セグメント４および５が割り当てられ、ユーザー３にはすべてのＭのデータストリームに対して時間セグメント６および７が割り当てられ、以下同様にして、ユーザーｋにはすべてのＭのデータストリームに対して時間セグメントＳが割り当てられる。
【００３４】
部分割り当てと呼ばれる他の例示実施形態において、所定の時間セグメントは複数の端末に割り当てられてもよい。部分割り当ては種々の方法で実行されてもよい。一実施形態において、各端末はＭのデータストリームに対してＨＳＤＰＡのためのチャネライゼーションコードのサブセットが割り当てられてもよい。他の実施形態において、各端末には、Ｍのデータストリームのサブセット（例えば、１）のためのＨＳＤＰＡのためのすべてのチャネライゼーションコードが割り当てられてもよい。さらに他の実施形態において、各端末にはデータストリームのサブセットのためのＨＳＤＰＡのためのチャネライゼーションコードのサブセットが割り当てられてもよい。一般に、端末には、任意の時間セグメント内のＭのデータストリームの各々内の任意の数のチャネライゼーションコードが割り当てられてもよい。部分割り当ては、基地局がＴＴＩにおいてより正確に端末をスケジュールすることを可能にする。部分割り当ては、より小さなペイロードを有するより多くの端末が、より高いデータレートを有するより少ない端末をスケジュールすることに対して好ましいとき、例えば、ＶｏＩＰが多くの端末により使用されるときに使用されてもよい。
【００３５】
さらに他の例示実施形態において、完全割り当てと部分割り当ての組み合わせが所定のＴＴＩに対して使用されてもよい。例えば、完全セグメントはいくつかの時間セグメントに対して（例えば、ＳＩＣ能力を備えた端末および／またはより大きなデータペイロードを備えた端末に対して）使用されてもよく、部分割り当ては他の時間セグメントに対して（例えば、ＳＩＣ能力を備えていない端末および／またはより小さなデータペイロードを備えた端末に対して）使用されてもよい。
【００３６】
例示実施形態において、１つ以上の時間セグメントを用いてＴＤＭパイロットを送信する。ＴＤＭパイロットのために使用される時間セグメントはパイロットセグメントと呼ばれる。ＴＤＭパイロットは、Ｐ−ＣＰＩＣＨ上のＣＤＭパイロットと一緒にＨＳ−ＰＤＳＣＨ上に送信されてもよい。ＴＤＭパイロットは種々の方法で送信されてもよい。例示実施形態において、ＴＤＭパイロットは、ＨＳＤＰＡのためのすべてのチャネライゼーションコードを用いて送信される。ＨＳＤＰＡデータはＨＳ−ＰＤＳＣＨ上を運ばれるので、ＴＤＭパイロットはチャネライゼーションコードあたり同じ送信電力で送信されてもよい。従って、ＴＤＭパイロットのための合計送信電力は、ＨＳＤＰＡデータのための合計送信電力に等しいであろう。ＴＤＭパイロットに使用する時間セグメントの数は、ＴＤＭパイロットで得られる利点（スループットにおける改善）対ＴＤＭパイロットを送信するためのオーバーヘッドとの間のトレードオフに基づいて選択されてもよい。
【００３７】
一般のＳの時間セグメントのいずれもパイロットセグメントとして使用されてもよい。
【００３８】
すべての端末がＴＤＭパイロットを用いてＴＴＩの次の時間セグメントで送信されたＨＳＤＰＡデータをリカバー可能にするために、ＴＤＭパイロットはＴＴＩの最初の時間セグメントで送信されてもよい。また、ＴＤＭパイロットは、ＴＴＩの２つの終わりの時間セグメントに対して時間に関してほぼ等しい距離にあるＴＴＩの真ん中の時間セグメントで送信されてもよい。また、ＴＤＭパイロットは他の時間セグメントで送信されてもよい。
【００３９】
図４Ａおよび４Ｂに示される例示実施形態において、ＴＤＭパイロットは１つの時間セグメントで送信される。Ｓ＝１６ならＴＤＭパイロットのためのオーバーヘッドは１／１６＝６．２５％である。例示実施形態において、ＴＤＭパイロットは各ＴＴＩの１つ以上の指定された時間セグメントで固定され送信される。他の例示実施形態において、ＴＤＭパイロットは、構成可能であり、（１）所定のＴＴＩで送信されてもよいし送信されなくてもよい、（２）ＴＴＩの選択可能な数の時間セグメントで送信されてもよい、および／または（３）異なる数のチャネライゼーションコードで送信されてもよい。ＴＤＭパイロットの形態は、ＴＴＩ毎に、無線フレーム毎に、またはよりゆっくりと変化されてもよい。
【００４０】
端末は、チャネル推定、チャネル品質測定等のような種々の目的のためにＴＤＭパイロットを使用してもよい。端末は、ＴＤＭパイロットに基づいてすべての受信アンテナにおける（またはすべての送信アンテナとすべての受信アンテナとの間における）すべてのデータストリームのためのチャネル利得推定値を導き出してもよい。端末はチャネル利得推定値を用いてイコライザタップ、空間フィルターマトリクス等を導き出してもよい。次に、端末はイコライザタップおよび／または空間フィルターマトリクスを用いて受信された信号を処理し、送信されたデータストリームをリカバーする。
【００４１】
また、端末は、ＴＤＭパイロットに基づいて受信されたＳＩＮＲを測定し、ＣＱＩ（チャネル品質インジケーター）をＳＩＮＲ推定値に基づいて計算し、ＣＱＩを基地局に送信してもよい。また、端末は、Ｐ−ＣＰＩＣＨ上に送信されたＣＤＭパイロットに基づいて受信されたＳＩＮＲを測定してもよい。しかしながら、ＴＤＭパイロットは、ＨＳＤＰＡデータに使用されるのと同じチャネライゼーションコードを用いておよびＨＳＤＰＡデータと同じ電力レベルで送信されるので、ＴＤＭパイロット（またはパイロットＳＩＮＲ）を介して得られるＳＩＮＲに基づいて計算されたＣＱＩは、ＨＳＤＰＡデータ（またはデータＳＩＮＲ）を介して得られるＳＩＮＲのより良い反映であってよい。基地局は各ＴＴＩにおいてＨＳＤＰＡに使用される送信電力の量を知り、端末がパイロットＳＩＮＲを計算する時刻から基地局が報告されたＣＱＩを用いてＨＳＤＰＡデータを送信する時刻までの送信電力および／またはコード割り当てにおける任意の変化を補償するために報告されたＣＱＩをほぼ調節することができる。ＴＤＭパイロットを介して得られてもよいより正確な報告されたＣＱＩは、より正確なレート選択を可能にしてもよい。それは遅延感応トラヒック並びに他のトラヒックの性能を改善するかもしれない。また、より正確な報告されたＣＱＩは、例えば、６４−ＱＡＭおよび２５６−ＱＡＭのようなより高次の変調スキームの使用をサポートしてもよい。
【００４２】
また、端末は、ＴＤＭパイロットに基づいて、トラヒック電力対パイロット電力の比である、トラヒック対パイロット比を決定してもよい。端末は、トラヒック対パイロット比に基づいて、例えば、トラヒック対パイロット比の平方根としてスカラーを導き出してもよい。端末はシンボル推定値をスカラーと乗算し、次のデコーディングのためにシンボル推定値のための適切なスケーリング(scaling)を得てもよい。
【００４３】
端末は、ＭＩＭＯ検出および／または復調のためにＳＩＮＲ推定値を使用してもよい。例えば、端末はＳＩＮＲ推定値を用いてコードビットのための対数尤度比（ＬＬＲｓ）を計算してもよく、次にＬＬＲｓをデコードしてデコードされたデータを取得してもよい。ＴＤＭパイロットを介して得ても良いより正確なＳＩＮＲ推定値は、特に、１６−ＱＡＭおよび６４−ＱＡＭのような一定でない電力コンステレーションを備えた変調スキームに対して、より正確なＬＬＲ計算および改良された復調およびデコーディング性能を生じてもよい。
【００４４】
ＨＳＤＰＡのためのＴＤＭパイロットは、他のデータおよび／または制御チャネル、例えばＨＳ−ＳＣＣＨと同時に送信されてもよい。ＴＤＭパイロットは純粋なＴＤＭパイロットバーストと似ている。それは、ＣＤＭパイロットに対して改良されたトレーニング品質を提供するために示された。ＴＤＭパイロットにより提供される可能な性能向上は、オーバーヘッドペナルティにもかかわらずＴＤＭパイロットの送信を正当化してもよい。
【００４５】
図５は図４ＡのＴＤＭフォーマット４００を備えたＨＳＤＰＡのための例示送信を示す。
【００４６】
基地局は、１ＴＴＩにおいてＨＳ−ＰＤＳＣＨ上のデータ送信のために端末をスケジュールする。基地局は、各スケジュールされた端末のためのシグナリング／制御情報をＨＳ−ＳＣＣＨ上に送信する。各スケジュールされた端末のためのシグナリングは、ＴＴＩ中のその端末に割り当てられた特定の時間セグメント（複数の場合もある）を示す。基地局は、割り当てられた時間セグメントにおいてスケジュールされた端末のためのＨＳＤＰＡデータをＨＳ−ＰＤＳＣＨ上に送信する。ＨＳ−ＰＤＳＣＨ上のデータ送信は、ＨＳ−ＳＣＣＨ上の対応するシグナリング送信からのスロットにより遅延される。
【００４７】
ＴＴＩにおいてＨＳ−ＰＤＳＣＨ上のデータを受信してもよい各端末は、ＨＳ−ＳＣＣＨを処理し、シグナリングがその端末に送信されたか否かを決定する。各スケジュールされた端末は（もし送信されたなら）ＴＤＭパイロットを処理し、さらに割り当てられた時間セグメント（複数の場合もある）を処理し、端末に対して送信されたＨＳＤＰＡデータをリカバーする。各スケジュールされた端末は、現在のＴＴＩにおいて送信されたパケットが正しくデコードされたならＡＣＫを送信し、そうでなければ、ＮＡＫを送信する。また、各端末は、（送信されたなら）ＴＤＭパイロットに基づいておよび／またはＣＤＭパイロットに基づいてパイロットＳＩＮＲを推定し、ＳＩＮＲ推定値に基づいてＣＱＩを計算し、ＡＣＫ／ＮＡＫとともにＣＱＩをＨＳ−ＤＰＣＣＨ上に送信してもよい。ＨＳ−ＤＰＣＣＨ上のフィードバック送信は、端末の受信に対して、ＨＳ−ＰＤＳＣＨ上の対応するデータ送信の終わりからほぼ７．５スロットだけ遅延される。端末１乃至Ｋは、基地局に対して、それぞれτPD,1乃至τPD,kの伝搬遅延を有する。従って、端末１乃至ＫのためのＨＳ−ＤＰＣＣＨｓは、基地局におけるＨＳ−ＰＤＳＣＨに対して、それぞれほぼ７．５スロット＋τPD,1乃至７．５スロット＋τPD,kだけ遅延される。現在のＴＴＩにおいてスケジュールされていない端末はまた以前のパケット送信および現在のＴＴＩのためのＣＱＩに対してＡＣＫ／ＮＡＫをＨＳ−ＤＰＣＣＨｓ上に送信してもよい。
【００４８】
基地局は図４Ａに示されるＴＤＭフォーマットと図３に示されるＣＤＭフォーマットの両方をサポートしてもよい。基地局は各ＴＴＩにおいてＴＤＭまたはＣＤＭフォーマットを選択してもよく、スケジュールされた端末のためのシグナリングをＨＳ−ＳＣＣＨ上に送信してもよい。各スケジュールされた端末は、端末の能力、以前（例えば、呼セットアップの期間に）に交換されたコンフィギュレーション情報、ＨＳ−ＳＣＣＨ上に送信されたシグナリング等に基づいてＴＤＭフォーマットまたはＣＤＭフォーマットが使用されているか否かを知ってもよい。例えば、ＴＤＭフォーマットをサポートしないレガシー端末は、ＨＳＤＰＡがＣＤＭフォーマットを用いて送信されるということを仮定してもよい。ＴＤＭフォーマットとＣＤＭフォーマットの両方をサポートする新しい端末は、どのフォーマットが現在のＴＴＩ、現在の無線フレームまたは全体の呼に対して使用されるかを（例えば、上位層のシグナリングにより）通知されてもよい。
【００４９】
ＴＤＭフォーマットとＣＤＭフォーマットの両方に対してＨＳ−ＳＣＣＨ上で同じシグナリングフォーマットを使用することが望ましい。ＨＳ−ＳＣＣＨ上のシグナリングは多数のパラメーターを含む。それらの１つは７ビットチャネライゼーションコードセット（ＣＣＳ）パラメーターである。ＣＤＭフォーマットの場合、ＣＣＳパラメーターは、開始チャネライゼーションコードおよび現在のＴＴＩにおいて端末に割り当てられた連続するチャネライゼーションコードの数を示す。例示実施形態において、ＣＣＳパラメーターはまたＴＤＭフォーマットのための時間セグメントの割り当てを伝えるために使用される。ＣＣＳビットの解釈は、ＴＤＭまたはＣＤＭフォーマットＨＳ−ＰＤＳＣＨに対して使用されるかどうかに応じて異なるであろう。
【００５０】
図６はＴＴＩ内の時間セグメントを端末に割り当てる例示実施形態を示す。端末は、ＴＴＩ内の１つ以上の連続する時間セグメントを割り当てられてもよい。例示実施形態において、シグナリングを低減するために、端末は割り当てられた時間セグメントの数に基づいてシーケンシャルの順番に時間セグメントを割り当てられてもよい。例えば、最も多くの数の時間セグメントを有する端末は、ＴＴＩにおいて最初に割り当てられてもよいし、２番目に多い数の時間セグメントを有する端末は、次に割り当てられてもよいし、以下同様であり、最も少ない数の時間セグメントを有する端末はＴＴＩにおいて最後に割り当てられてもよい。図６に示される例において、ユーザー１は第１のＬ１時間セグメントを割り当てられ、ユーザー２は次のＬ２時間セグメントを割り当てられ、但しＬ2≦Ｌ1であり、ユーザー３は次のＬ３時間セグメントを割り当てられ、但しＬ3≦Ｌ2であり、以下同様であり、ユーザーＫは最後のＬＫ時間セグメントを割り当てられ、但しＬk≦Ｌk-1である。
【００５１】
図６に示される例示実施形態において、端末に割り当てることができる時間セグメントの最大数は、端末に対する開始時間セグメントに依存する。
【００５２】
・開始時間セグメントがＴＴＩの最初の時間セグメントなら、端末には１乃至Ｓの時間セグメントが割り当てられてもよい。
【００５３】
・開始時間セグメントが第２の時間セグメントなら、第１の時間セグメントにおけるその開始点を有する他の端末には唯一つの時間セグメントが割り当てられていたので、端末には１つの時間セグメントが割り当てられてもよい。
【００５４】
・開始時間セグメントが第３の時間セグメントなら、端末には１つまたは２つの時間セグメントが割り当てられてもよい。
【００５５】
・開始時間セグメントがＮ番目の時間セグメントなら、但し１＜Ｎ≦Ｓである場合、端末は１つ乃至ｍｉｎ｛Ｎ−１，Ｓ−Ｎ｝時間セグメントを割り当てられてもよい。
【００５６】
Ｎ−１の限定は時間セグメントを割り当てるシーケンシャルな順番による。Ｓ−Ｎの限定はＴＴＩの有限長による。ＴＴＩの後半に開始する端末の場合、Ｓ−Ｎの限定はＮの限定よりもさらに制限される。
【００５７】
（ａ）Ｓ＝１６でＴＤＭパイロットが１つの時間セグメントで送信されるならまたは（ｂ）Ｓ＝１５でＴＤＭパイロットが送信されないなら、ＴＴＩ内の１５の時間セグメントの合計は、ＨＳＤＰＡ に対する端末に割り当て可能であってよい。図６に示される割り当て実施形態の場合、１ＴＴＩにおいて１５の時間セグメントが割り当てられるなら、７１の起こり得る時間セグメントの割り当てがある。端末に対する時間セグメントの割り当ては、７ビットＣＣＳパラメーターで伝えられてもよい。この場合、ＣＣＳパラメーターの１２８の可能な値のうちの７１の値は、時間セグメント割り当てを伝えるために使用されてもよい。１２８−７１＝５７の残りの値は他のシグナリングのために使用されてもよい。
【００５８】
他の例示実施形態において、端末は、図６に示される逆の順番で１つ以上の連続する時間セグメントを割り当てられてもよい。例えば、最も少ない数の時間セグメントを有する端末は、ＴＴＩの最初に割り当てられ、第２に少ない数の時間セグメントを有する端末は、次に割り当てられ、以下同様であり、最も多い数の時間セグメントを有する端末は、ＴＴＩの最後に割り当てられてもよい。さらに他の例示実施形態において、端末は１つ以上の連続する時間セグメントをＴＴＩのどこでも割り当てられてもよい。この例示実施形態は、コードツリー内の１つ以上の連続するチャネライゼーションコードが図３に示されるＣＤＭフォーマットに対して端末に割り当てられてもよい方法と類似する。従って、端末のためのシグナリングは、開始時間セグメントと、端末に割り当てられた連続する時間セグメントの数を示してもよい。１５の時間セグメントの合計がＴＴＬに割り当て可能なら、時間セグメントの１２０の起こり得る割り当てがある。端末のための時間セグメントパラメーターは７ビットＣＣＳパラメーターで伝えられてもよい。この場合、１２８−１２０＝８の残りの値は他のシグナリングのために使用されてもよい。
【００５９】
上述するように完全な割り当ておよび部分割り当ての組み合わせは所定のＴＴＩに対して使用されてもよい。シグナリングを低減するために、ある共通に使用される部分割り当ては、７ビットＣＣＳパラメーターの残り（例えば、５７）の値に対して定義されてもよい。また、さらなる部分割り当ては、より多くのシグナリングビットを用いて定義されてもよい。極端に、各時間セグメントにおけるチャネライゼーションコードは、例えば、ＣＤＭフォーマットの場合にチャネライゼーションコードが各ＴＴＩにおける端末に割り当てられるのと同じ方法で端末に割り当てられてもよい。
【００６０】
１つ以上のＨＳ−ＳＣＣＨｓは、１２８の拡散ファクターを有するチャネライゼーションコードを用いて基地局から同時に送信される。各端末のためのシグナリングは、その端末のためのＵＥアイデンティティを用いてスクランブルされ、ＨＳ−ＳＣＣＨｓのセットに割り当てられたチャネライゼーションコードの１つを用いてＨＳ−ＳＣＣＨｓの１つ上に送信される。例示実施形態において、ＨＳ−ＳＣＣＨｓのセットに使用されるチャネライゼーションコードを低減するために良好なチャネル条件を観察する端末のためのシグナリングは、１２８の代わりに２５６の拡散ファクターを有するチャネライゼーションコードを用いて送信されてもよい。これらの端末は、良好な性能を得るためにより高いＳＩＮＲに典型的に依存する、ＭＩＭＯを採用する端末であってよい。より高い符号レートおよび／またはより高次の変調スキームは、より大きな拡散ファクターと組み合わされて使用されてもよい。
【００６１】
図７は、基地局１１０および端末１２０の例示実施形態のブロック図を示します。基地局１１０は、図１内の基地局の１つであってもよい。端末１２０は図１内の端末の１つであってもよい。この例示実施形態において、基地局１１０は、データの送受信に使用されてもよい複数（Ｔ）のアンテナ７１８ａ乃至７１８ｔを備えている。端末１２０は、データ受信のために使用されてもよい複数（Ｒ）のアンテナ７５２ａ乃至７５２ｒと、データ送信のために使用されてもよい１つのアンテナ７５２ａを備えている。各アンテナは物理アンテナ、アンテナアレイおよび適切なビーム形成装置からなる仮想アンテナまたは固定の重み付けするネットワークを有したアンテナアレイ等であってよい。
【００６２】
基地局１１０において、送信（ＴＸ）データプロセッサー７１２は、データソース７１０からトラヒックデータを受信して処理し、データシンボルを発生する。また、ＴＸデータプロセッサー７１２は、コントローラー７３０からのシグナリングを処理し、シグナリングシンボルを発生する。本明細書において使用されるように、データシンボルは、データのためのシンボルであり、シグナリングシンボルはシグナリング／制御情報のためのシンボルであり、パイロットシンボルはパイロットのためのシンボルであり、シンボルは典型的に複素値である。データ、シグナリングおよびパイロットシンボルは、ＰＳＫまたはＱＡＭのような変調スキームからの変調シンボルであってよい。ＭＩＭＯの場合、ＴＸデータプロセッサー７１２は、データ、シグナリングおよびパイロットシンボルを複数のストリームに逆多重化してもよい。次に、ＴＸデータプロセッサー７１２は、各データシンボルストリームに対してＣＤＭＡ変調を実行し、対応するチップストリームを発生してもよい。ＴＸ空間プロセッサー７１４はプロセッサー７１２からチップストリームを受信し、チップストリームに対して空間マッピングを実行し、Ｔの出力ストリームをＴの送信機（ＴＭＲ）７１６ａ乃至７１６ｔに供給する。各送信機７１６は、その出力ストリームを処理し（例えば、アナログに変換し、フィルターし、増幅し、アップコンバートする）、ダウンリンク信号を発生する。送信機７１６ａ乃至７１６ｔからのＴのダウンリンク信号は、それぞれアンテナ７１８ａ乃至７１８ｔから送信される。
【００６３】
端末１２０において、Ｒのアンテナ７５２ａ乃至７５２ｒは、Ｔのダウンリンク信号を受信し、各アンテナ７５２は、受信した信号をそれぞれの受信機（ＲＣＶＲ）７５４に供給する。各受信機７５４は、その受信した信号を処理し（例えば、フィルターし、増幅し、ダウンコンバートし、デジタル化し、復調する）、入力サンプルを受信（ＲＸ）空間プロセッサー７５６およびチャネルプロセッサー７７４に供給する。チャネルプロセッサー７７４は、受信したパイロット（例えば、ＴＤＭパイロット）に基づいてチャネル応答を推定し、チャネル推定値を供給する。ＭＩＭＯ検出器７５６は、チャネル推定値を用いて入力サンプルに対してＭＩＭＯ検出を実行し、検出されたサンプルを供給する。ＲＸデータプロセッサー７５８は、検出されたサンプルを処理し（例えば、デスクランブルし、逆拡散し、シンボルデマップし、デインターリーブし、デコードする）、デコードされたデータをデータシンク７６０に供給する。ＣＤＭＡ復調（例えば、デスクランブリングおよび逆拡散）は、検出後（例えば、ＭＩＭＯ送信の場合）または検出前（単一ストリーム送信の場合）に実行されてもよい。
【００６４】
端末１２０は、フィードバック情報（例えば、受信されたパケットに対するＡＣＫｓ／ＮＡＫｓ、ＣＱＩｓ等）を基地局１１０に送信してもよい。データソース７６２からのフィードバック情報およびトラヒックデータは、ＴＸデータプロセッサー７６４により処理され、さらに送信機７５４ａにより処理されアップリンク信号を発生する。これはアンテナ７５２ａを介して送信される。基地局１１０において、アップリンク信号は、Ｔのアンテナ７１８ａ乃至７１８ｔにより受信され、受信機７１６ａ乃至７１６ｔにより処理され、単一入力複数出力（ＳＩＭＯ）検出器７２０により処理され、さらにＲＸデータプロセッサー７２２により処理され、送信機１２０により送信されたフィードバック情報およびトラヒックデータをリカバーする。
【００６５】
コントローラー／プロセッサー７３０および７７０は、それぞれ基地局１１０および端末１２０における動作を制御する。メモリ７３２および７７２はそれぞれ基地局１１０と端末１２０のためのデータおよびプログラムコードを記憶する。
【００６６】
図８は図７のＴＸデータプロセッサー７１２およびＴＸ空間プロセッサー７１４のブロック図を示す。この例示実施形態において、ＴＸデータプロセッサー７１２は、ＨＳ−ＰＤＳＣＨのためのデータプロセッサー８１０、ＨＳ−ＳＣＣＨのためのデータプロセッサー８１２、および他の物理チャネルのためのデータプロセッサー８１４を含む。
【００６７】
ＨＳ−ＰＤＳＣＨのためのデータプロセッサー８１０内において、エンコーダー／シンボルマッパー８２０は、現在のＴＴＩにおいてスケジュールされた端末のためのトラヒックデータを受信し、各端末のための各パケットを処理し（例えば、フォーマットし、符号化し、インターリーブし、シンボルマップする）、データシンボルを発生し、すべての端末のためのデータシンボルを、同時に送信されるＭのストリームに逆多重化する。各ストリームに１つのパケットの割合で、ＭのパケットがＭのストリーム上に送信され、連続する干渉除去を容易にする。あるいは、パケットは、逆多重化され複数のストリームにわたって送信されてもよい。ＣＤＭＡ変調器８２２は、Ｍのデータシンボルストリームを受信し、各端末のためのデータシンボルをその端末に割り当てられた時間セグメント（複数の場合もある）にマップし、パイロットシンボルに多重化する。ストリーム毎に、ＣＤＭＡ変調器８２２は、ＨＳＤＰＡのためのチャネライゼーションコードでデータおよびパイロットシンボルを拡散し、各チャネライゼーションコードのためのチップをそのコードのための利得ファクターでスケール(scale)し、すべてのチャネライゼーションコードのためのスケールされたチップを結合し、結合されたチップをスクランブルしてスクランブルされたチップストリームを発生する。データプロセッサー８１０は、ＨＳ−ＰＤＳＣＨのためのＭチップストリームを供給する。データプロセッサー８１２は、ＨＳ−ＳＣＣＨのためのシグナリングを処理し、ＨＳ−ＳＣＣＨのためのＭチップストリームを供給する。データプロセッサー８１４は、他の物理チャネルのためのトラヒックデータおよびシグナリングを処理し、これらの物理チャネルのためのＭチップストリームを供給する。
【００６８】
ＴＸ空間プロセッサー７１４は、ＨＳ−ＰＤＳＣＨのための空間マッパー８３０、ＨＳ−ＳＣＣＨのための空間マッパー８３２、および他の物理チャネルのための空間マッパー８３４を含む。空間マッパー８３０は、ＨＳ−ＰＤＳＣＨのためのＭチップストリームと１つ以上の空間マッピングマトリクスとのマトリクス乗算を実行してＴのマップされたチップストリームを供給してもよい。空間マッパー８３２は、ＨＳ−ＳＣＣＨのためのＭチップストリームを空間的にマップし、Ｔのマップされたチップストリームを供給する、但し、Ｍ≦Ｔである。空間マッパー８３４は、他の物理チャネルのためのＭチップストリームを空間的にマップし、Ｔのマップされたチップストリームを供給する。結合器８４０は、すべての物理チャネルのためのマップされたチップを結合し、ＴのアンテナのためのＴの出力ストリームを供給する。また、結合は空間マッピングの前に実行されてもよい。
【００６９】
空間マッピングマトリクスは、直行マトリクス（例えば、ウォルシュマトリクスまたはフーリエマトリクス）、アイデンティティマトリクスまたはその他のマトリクスであってよい。正規直交マトリクスは、１つのストリームからのチップを、空間ダイバーシティを供給してもよいすべてのＴのアンテナにマップすることができる。アイデンティティマトリクスは単にチップを通過する。単一空間マッピングマトリクスは、すべての端末に使用されてもよく、先験的に示されまたは知られる。また、異なる空間マッピングマトリクスもその割り当てられた時間セグメント（複数の場合も有る）に対して各端末に使用されてもよく、端末または基地局により選択されて良好な性能を得てもよく、（ＣＣＳパラメーターの残りの値またはその他のシグナリングビットを用いて）先験的に示されまたは知られてもよい。空間マッピングは、すべての物理チャネルに対してまたはいくつかの物理チャネル、例えばＨＳ−ＰＤＳＣＨおよび／またはＨＳ−ＳＣＣＨのみに対して実行されてもよい。
【００７０】
図９は、連続する干渉除去（ＳＩＣ）を実行するＲＸプロセッサー９００のブロック図を示す。ＲＸプロセッサー９００は図７の端末１２０におけるＭＩＭＯ検出器７５６とＲＸデータプロセッサー７６８の例示実施形態である。
【００７１】
第一段９１０ａの場合、ＭＩＭＯ検出器９１２ａは、ＴＴＩにおいて端末に割り当てられたすべてのセグメント（複数の場合も有る）に対して受信機７５４ａ乃至７５４ｒからの入力サンプルのＲのストリームを受信し、チャネル推定値を用いて入力サンプルに対してＭＩＭＯ検出を実行し、リカバーされる第１のストリームに対して検出されたサンプルを供給する。ＭＩＭＯ検出器９１２ａは、ＭＭＳＥ、ゼロフォーシング（ＺＦ）またはその他のＭＩＭＯ検出スキームを実施してもよい。それは、チャネル推定値を用いずに検出を実行することができるかもしれない。例えば最小二乗平均（ＬＭＳ）スキームまたはその他のスキームはチャネル推定値を用いずにイコライザの重みに適合するように使用されてもよい。ＣＤＭＡ復調器９１４ａは、ＨＳＤＰＡのために端末１２０に割り当てられたチャネライゼーション（Ｃｈ）コードを用いて検出されたサンプルに対してデスクランブリングおよび逆拡散を実行し逆拡散シンボルを供給する。シンボルデマッパー／デコーダー９１６ａは逆拡散シンボルを処理し（例えば、ＬＬＲｓを計算し、デインターリーブし、デコードする）し、第１のストリームに対してデコードされたパケットを供給する。
【００７２】
パケットが正しくデコードされるなら、エンコーダー／シンボルマッパー９１８ａは、パケットを符号化し、インターリーブし、シンボルマップし、パケットのためのデータシンボルを再発生する。ＣＤＭＡ変調器９２０ａはＨＳＤＰＡのために端末に割り当てられたチャネライゼーションコードを用いて再発生されたシンボルを拡散し、拡散シンボルをスクランブルし、第１のストリームのための再発生されたチップを供給する。空間マッパー９２２ａは、基地局１１０により実行される方法と同じ方法で再発生されたチップをマップし、マップされたチップを供給する。干渉推定器９２４ａは、マップされたチップおよびチャネル推定値に基づいて第１のストリームによる干渉を推定する。干渉減算ユニット９２６ａは、入力サンプルから干渉推定値を減算し、次のステージのための入力サンプルを供給する。
【００７３】
各後段は前段から入力サンプルを受信し、第１のステージの場合と同様の方法で入力サンプルを処理し、そのステージによりリカバーされているストリームのためのデコードされたパケットを供給する。パケットが正しくデコードされるなら、デコードされたパケットからの干渉は推定されそのステージのための入力サンプルから減算され、次のステージのための入力サンプルを取得する。
【００７４】
図９に示すように、各ストリームに対して推定することができ、除去することができる干渉量は、端末に割り当てられたチャネライゼーションコード対ＨＳＤＰＡに使用されるチャネライゼーションコードにより決定される。端末に例えば図４Ｂに示されるように、ＨＳＤＰＡのためのすべてのチャネライゼーションコードが割り当てられるなら、ＨＳＤＰＡのための合計干渉は推定されてもよく除去されてもよい。次のストリームのＳＩＮＲｓは、以前のストリームからの除去された干渉により改善されてもよい。
【００７５】
また、図９に示されるように、チャネル推定値はＭＩＭＯ検出と干渉推定の両方に使用される。より高品質のチャネル推定値は図４Ｂに示されるＴＤＭパイロットに基づいて取得されてもよい。他の例示実施形態において、パケットが所定のストリームに対して正しくデコードされるなら、ＣＤＭＡ復調器９１４から逆拡散されたシンボルおよびエンコーダー／シンボルマッパー９１８からの再発生されたシンボルに基づいてそのストリームに対してデータベースのチャネル推定値が導き出されてもよい。データベースのチャネル推定値は、パイロットベースのチャネル推定値よりも高い品質を有していてもよく、ブロック９２４において使用されてより正確な干渉推定値を導き出してもよい。
【００７６】
図１０はダウンリンク送信の場合の基地局１１０により実行されるプロセス１０００の例示実施形態を示す。ＴＴＩの複数の時間セグメントは、少なくとも１つの端末に割り当てられる（ブロック１０１２）。完全な割り当ての場合、各時間セグメントは１つの端末に割り当てられ、各端末はＴＴＩにおける少なくとも１つの連続する時間セグメントに割り当てられる。部分割り当ての場合、時間セグメントは、複数の端末に割り当てられてもよく、複数の端末により共有されてもよい。また、完全な割り当てと部分割り当ての組み合わせを用いてもよい。複数のタイムセグメントは、各端末に割り当てられている時間セグメントの数により決定されるシーケンシャルな順番で少なくとも１つの端末に割り当てられてもよい。例えば、最も多くの時間セグメントを有する端末がＴＴＩにおいて最初に割り当てられてもよく、最も少ない数の時間セグメントを有する端末がＴＴＩにおいて最後に割り当てられてもよい。ＭＩＭＯが採用されるなら、複数の時間セグメントは、同時に送信されている複数のストリームの各々に対して少なくとも１つの端末に割り当てられてもよい。各端末は、複数のストリームにわたって少なくとも１つの時間セグメントに割り当てられてもよい。また、所定の時間セグメントにおいて、ストリームの範囲内において、チャネライゼーションコードの範囲内において、またはストリームとチャネライゼーションコードの両方の範囲内において異なる端末が割り当てられてもよい。
【００７７】
各端末のためのデータは処理され（例えば、符号化され、シンボルマップされ）、端末に割り当てられた少なくとも１つの時間セグメントにマッピングされる（ブロック１０１４）。各時間セグメント内のデータはＴＴＩにおいて使用される少なくとも１つのチャネライゼーションコードで拡散される（ブロック１０１６）。パイロットはパイロット送信のために指定された少なくとも１つの時間セグメントにマップされてもよく（ブロック１０１８）、ＴＴＩで使用される少なくとも１つのチャネライゼーションコードで拡散されてもよい（ブロック１０２０）。パイロットは、少なくとも１つの端末に対するパイロットとデータのための等しい送信電力を得るためにスケール(scale)されてもよい。シグナリングは、例えば、開示時間セグメントおよび端末に割り当てられた時間セグメントの数を伝達するために各端末に対して発生される（ブロック１０２２）。少なくとも１つの端末のための拡散データとパイロットは、例えば、ＨＳ−ＰＤＳＣＨ上に送信されてもよい。各端末のためのシグナリングは、例えば、ＨＳ−ＳＣＣＨ上で送信されてもよい。
【００７８】
図１１はダウンリンク送信を受信するために端末１２０により実行されるプロセス１１００の例示実施形態を示す。ＴＴＩの複数のタイムセグメントの中から少なくとも１つの時間セグメントの割り当てが受信される（ブロック１１１２）。割り当ては開始時間セグメントと割り当て内の時間セグメントの数を示すシグナリングを介して運ばれてもよい。少なくとも１つの時間セグメントのための入力サンプルが得られる（ブロック１１１４）。入力サンプルは、ＴＴＩにおいて使用される少なくとも１つのチャネライゼーションコードで逆拡散され、逆拡散されたシンボルを得る（ブロック１１１６）。少なくとも１つのチャネライゼーションコードで送信されたパイロットは、パイロット送信のために指定された少なくとも１つの時間セグメントから受信されてもよい（ブロック１１１８）。チャネル推定値および／またはＣＱＩは受信されたパイロットに基づいて導き出されてもよい（ブロック１１２０）。チャネル推定値を有した逆拡散シンボルに対して検出が実行され検出されたシンボルを得てもよい（ブロック１１２２）。
【００７９】
ＭＩＭＯが採用されるなら、少なくとも１つの時間セグメントの割り当ては、複数の送信アンテナから同時に送信された複数のストリームに対してでもよい。少なくとも１つの時間セグメントに対する入力サンプルは、複数の受信アンテナから得てもよい。入力サンプルに対してＭＩＭＯ検出が実行され、複数のストリームの各々に対して検出されたサンプルが取得されてもよい。ストリーム毎に検出されたサンプルは、少なくとも１つのチャネライゼーションコードで逆拡散され、ストリームのための逆拡散シンボルを取得してもよい。各ストリームのための逆拡散シンボルはデコードされてもよい。各ストリームによる干渉は、ストリームを成功裏にデコードした後で推定され除去されてもよい。
【００８０】
明確にするために、技術は、特に３ＧＰＰにおけるＨＳＤＰＡの場合について記載した。また、この技術は、他の無線技術を実施してもよい他の無線通信ネットワークに対して使用されてもよい。例えば、この技術は、ＩＳ−２０００リリース０およびＡを実施するＣＤＭＡ２０００１Ｘネットワーク、ＩＳ−２０００リリースＣを実施するＣＤＭＡ２０００１ｘＥＶ−ＤＶネットワーク、ＩＳ−８５６を実施するＣＤＭＡ２０００１ｘＥＶ−ＤＯネットワーク等に対して使用されてもよい。ｃｄｍａ２０００は、それぞれＨＳ−ＰＤＳＣＨおよびＨＳ−ＳＣＣＨに対応するフォワードパケットデータチャネル（Ｆ−ＰＤＣＨ）およびフォワードパケットデータ制御チャネル（Ｆ−ＰＤＣＣＨ）を使用する。Ｆ−ＰＤＣＨのフォーマット／構造は例えば図４Ａおよび４Ｂに示すように実施されてもよい。
【００８１】
当業者は、情報及び信号が多岐に渡る様々な異なる技術及び技法のいずれかを使用して表現されてよいことを理解するだろう。例えば、前記説明を通して参照されてよいデータ、命令、コマンド、情報、信号、ビット、記号及びチップは、電圧、電流、電磁波、磁場または磁性粒子、光学場または光学粒子、またはその任意の組み合わせによって表現されてよい。
【００８２】
当業者は、さらに、本明細書に開示されている例示実施形態に関連して説明された多様な例示的な論理ブロック、モジュール、回路及びアルゴリズムステップが、電子ハードウェア、コンピュータソフトウェア、または両方の組み合わせとして実現されてよいことを理解するであろう。ハードウェアとソフトウェアのこの互換性を明確に説明するために、多様な例示的な構成要素、ブロック、モジュール、回路及びステップが、一般的にそれらの機能という点で前述されている。このような機能性がハードウェアとして実現されるのか、あるいはソフトウェアとして実現されるのかは、特定の用途及び全体的なシステムに課される設計制約に依存する。当業者は、それぞれの特定の用途のために変化する方法で説明された機能性を実現してよいが、このような実現の決定は、本発明の範囲からの逸脱を引き起こすと解釈されるべきではない。
【００８３】
ここに開示されている実施形態に関連して説明された多様な例示的な論理ブロック、モジュール及び回路は、汎用プロセッサー、デジタル信号プロセッサー（ＤＳＰ）、特定用途向け集積回路（ＡＳＩＣ）、フィールドプログラマブルゲートアレイ（ＦＰＧＡ）、または他のプログラマブルロジックデバイス、ディスクリートゲートまたはトランジスタロジック、ディスクリートハードウェアコンポーネント、あるいはここに説明される機能を実行するように設計されたその任意の組み合わせをもって実現または実行されてよい。汎用プロセッサーは、マイクロプロセッサーであってよいが、代替策ではプロセッサーは、任意の従来のプロセッサー、コントローラー、マイクロコントローラーまたは状態機械であってよい。プロセッサーは、例えばＤＳＰとマイクロプロセッサーの組み合わせ、複数のマイクロプロセッサー、ＤＳＰコアと連動する１台または複数台のマイクロプロセッサー、あるいは任意の他のこのような構成など計算装置の組み合わせとして実現されてもよい。ここに開示された実施形態に関連して説明された方法またはアルゴリズムのステップは、ハードウェア内、プロセッサーによって実行されるソフトウェアモジュール内、あるいは２つの組み合わせの中で直接的に具現化されてよい。ソフトウェアモジュールはRAMメモリ、フラッシュメモリ、ROMメモリ、EPROMメモリ、EEPROMメモリ、レジスタ、ハードディスク、取り外し可能ディスク、CD-ROM、または技術的に既知である任意の他の形式の記憶媒体に常駐してよい。例示的な記憶媒体は、プロセッサーが記憶媒体から情報を読み取り、記憶媒体に情報を書き込むことができるようにプロセッサーに結合される。代替策では、記憶媒体はプロセッサーに一体化してよい。プロセッサー及び記憶媒体はASICに常駐してよい。ASICはユーザー端末に常駐してよい。代替策では、プロセッサー及び記憶媒体はユーザー端末内に別々の構成要素として常駐してよい。
【００８４】
開示された実施形態の上述の説明は、当業者が本発明を製造するまたは使用することができるようにするために提供される。これらの実施形態に対する種々の変更は、当業者に容易に明らかになり、ここに定義される一般的な原則は、本発明の精神または範囲から逸脱することなく他の実施形態に適用されてよい。従って、本発明はここに示されている実施形態に制限されるのではなく、ここに説明される原則及び新規な特徴と一致する最も幅広い範囲を与えられるべきである。
【図面の簡単な説明】
【００８５】
【図１】図１は無線通信ネットワークを示す。
【図２】図２はＷ−ＣＤＭＡにおけるフレームフォーマットを示す。
【図３】図３はＨＳＤＰＡ内のＨＳ−ＰＤＳＣＨのためのＣＤＭフォーマットを示す。
【図４Ａ】図４ＡはＨＳＤＰＡ内のＨＳ−ＰＤＳＣＨのためのＴＤＭフォーマットを示す。
【図４Ｂ】図４ＢはＭＩＭＯを備えたＨＳＤＰＡ内のＨＳ−ＰＤＳＣＨのためのＴＤＭフォーマットを示す。
【図５】図５はＴＤＭフォーマットを備えたＨＳＤＰＡのための例示送信を示す。
【図６】図６は、ＴＴＩ内の時間セグメントの端末への割り当てを示す。
【図７】図７は基地局と端末のブロック図を示す。
【図８】図８はＴＸデータプロセッサーとＴＸ空間プロセッサーを示す。
【図９】図９は連続干渉除去を備えたＲＸプロセッサーを示す。
【図１０】図１０は、ダウンリンク送信のために基地局により実行されるプロセスを示す。
【図１１】図１１はダウンリンク送信を受信するために端末により実行されるプロセスを示す。
【図１】
2009505518.tif 000004
【図２】
2009505518.tif 000005
【図３】
2009505518.tif 000006
【図４Ａ】
2009505518.tif 000007
【図４Ｂ】
2009505518.tif 000008
【図５】
2009505518.tif 000009
【図６】
2009505518.tif 000010
【図７】
2009505518.tif 000011
【図８】
2009505518.tif 000012
【図９】
2009505518.tif 000013
【図１０】
2009505518.tif 000014
【図１１】
2009505518.tif 000015
【国際調査報告】
2009505518.tif 000016
2009505518.tif 000017
2009505518.tif 000018
2009505518.tif 000019
2009505518.tif 000020